(57)【要約】【課題】簡単な操作で、ブラシをブラシカバーで覆うとともに容器本体の吐出孔とブラシ支持体の導入口との連通を遮断して、内容物の外部への飛散を防止することができるブラシ付き容器を提供することである。【解決手段】容器本体１０に、回動操作部材３０を、容器本体１０の吐出孔１２ｉとブラシ支持体２０の導入口２３との間を開閉板部３３に設けた連通孔３４により連通させる開位置と、吐出孔１２ｉと導入口２３とを遮断する閉位置との間で回動自在に装着する。操作筒部３１と支持部２１との間にブラシカバー４０を進退移動自在に設け、操作筒部３１とブラシカバー４０との間および支持部２１とブラシカバー４０との間に直線案内部５０および変換機構部６０を設け、回動操作部材３０が閉位置のときにブラシカバー４０をカバー位置とし、回動操作部材３０が開位置にまで移動するとブラシカバー４０が開放位置に移動するようにする。【選択図】図１
2015209256.tif 000002
【特許請求の範囲】
【請求項１】
内容物を収容する収容空間と、該内容物の吐出孔とを備える容器本体と、
前記吐出孔に対向配置される導入口と、該導入口に連なる支持部とを備え、前記容器本体に固定されるブラシ支持体と、
根本側部分において前記支持部に支持され、先端側部分が前記支持部から突出するブラシと、
前記吐出孔と前記導入口との間に配置される開閉板部と、前記支持部の外側に配置される円筒状の操作筒部とを備え、前記開閉板部により前記吐出孔と前記導入口との連通が遮断される閉位置と、前記開閉板部に設けられた連通孔が前記吐出孔と前記導入口とを連通させる開位置との間で回動自在に前記容器本体に装着される回動操作部材と、
前記支持部と前記操作筒部の間に装着され、前記ブラシの先端側部分を覆うカバー位置と該ブラシの先端側部分を開放する開放位置との間で進退移動自在のブラシカバーと、
前記ブラシカバーと前記支持部との間および前記ブラシカバーと前記操作筒部との間の何れか一方に設けられ、前記ブラシカバーを前記支持部または前記操作筒部に対して進退方向に案内する直線案内部と、
前記ブラシカバーと前記支持部との間および前記ブラシカバーと前記操作筒部との間の何れか他方に設けられ、前記操作筒部の回動を前記ブラシカバーの進退移動に変換する変換機構部とを有し、
前記回動操作部材が閉位置のときに前記ブラシカバーがカバー位置とされ、前記操作筒部が回動操作されると、前記回動操作部材が開位置にまで移動するとともに前記ブラシカバーが開放位置にまで移動することを特徴とするブラシ付き容器。
【請求項２】
前記操作筒部の内周面に軸方向に沿って直線状に延びるリブが設けられるとともに、円筒状に形成された前記ブラシカバーの外周面に軸方向に沿って直線状に延びる案内溝が設けられ、前記リブが前記案内溝に係合することにより前記直線案内部が構成され、
円筒状に形成された前記支持部の外周面に螺旋状に延びるねじ溝が設けられるとともに、前記ブラシカバーの内周面に突起が設けられ、該突起が前記ねじ溝に係合することにより前記変換機構部が構成されている、請求項１に記載のブラシ付き容器。
【請求項３】
前記開閉板部は前記回動操作部材の回動中心を中心とした円板状に形成され、前記吐出孔と前記連通孔とが、それぞれ前記回動操作部材の回動中心から同一距離ずれて配置され、前記導入口は円筒状に形成されて前記開閉板部の外周縁に嵌合している、請求項１または２に記載のブラシ付き容器。
【請求項４】
前記操作筒部の外側に、前記ブラシを覆うオーバーキャップが着脱自在に装着されている、請求項１〜３の何れか一項に記載のブラシ付き容器。
【請求項５】
前記ブラシは、多数の繊維を根本側部分において束ねた構成である、請求項１〜４の何れか一項に記載のブラシ付き容器。
【発明の詳細な説明】
【技術分野】
【０００１】
本発明は、容器本体に収容された内容物をこの容器本体に固定されたブラシに吐出させ、当該ブラシで内容物を塗付対象に塗付することができるようにしたブラシ付き容器に関する。
【背景技術】
【０００２】
上記ブラシ付き容器は、例えば粉末状（パウダー状）の化粧料や部分洗い用液体洗剤など、ブラシを用いて塗付対象に塗付されるべき内容物を収容する容器として従来から多く用いられている。
【０００３】
例えば特許文献１には、有底筒状の容器本体の開口端にブラシ支持体を取り付け、このブラシ支持体にブラシの根元側部分を支持させるとともに、ブラシ支持体に容器本体の開口端に連通する導入口を設け、容器本体内で粉末状にされた化粧料をこの導入口からブラシに向けて吐出させることで、ブラシにより粉末状の化粧料を顔面等に塗付することができるようにしたブラシ付き容器が記載されている。
【先行技術文献】
【特許文献】
【０００４】
【特許文献１】特開２０１２−１２５４４５号公報
【発明の概要】
【発明が解決しようとする課題】
【０００５】
上記従来のブラシ付き容器では、持ち運びされるときなどに、ブラシに付着した内容物が外部に飛散するのを防止するために、不使用時には容器本体にキャップを装着し、このキャップでブラシを覆うようにしている。
【０００６】
しかしながら、ブラシは多数の毛などの繊維を根元部分で束ねた構成となっており、ブラシ支持体に支持される根本側部分に対して先端側部分が外側に広がった形状となるので、キャップを容器本体に装着するに際して、広がったブラシの先端側部分をキャップの内部に差し込む作業は煩雑であった。
【０００７】
また、キャップを装着しても、その状態で持ち運び等がされると、振動等によって容器本体内の内容物がブラシに流出し、使用の際にキャップが取り外されると、流出した内容物が外部に発散されるおそれがあった。
【０００８】
本発明は、このような点を解決することを課題とするものであり、その目的は、簡単な操作で、ブラシをブラシカバーで覆うとともに容器本体の吐出孔とブラシ支持体の導入口との連通を遮断して、内容物の外部への飛散を防止することができるブラシ付き容器を提供することにある。
【課題を解決するための手段】
【０００９】
本発明のブラシ付き容器は、内容物を収容する収容空間と、該内容物の吐出孔とを備える容器本体と、前記吐出孔に対向配置される導入口と、該導入口に連なる支持部とを備え、前記容器本体に固定されるブラシ支持体と、根本側部分において前記支持部に支持され、先端側部分が前記支持部から突出するブラシと、前記吐出孔と前記導入口との間に配置される開閉板部と、前記支持部の外側に配置される円筒状の操作筒部とを備え、前記開閉板部により前記吐出孔と前記導入口との連通が遮断される閉位置と、前記開閉板部に設けられた連通孔が前記吐出孔と前記導入口とを連通させる開位置との間で回動自在に前記容器本体に装着される回動操作部材と、前記支持部と前記操作筒部の間に装着され、前記ブラシの先端側部分を覆うカバー位置と該ブラシの先端側部分を開放する開放位置との間で進退移動自在のブラシカバーと、前記ブラシカバーと前記支持部との間および前記ブラシカバーと前記操作筒部との間の何れか一方に設けられ、前記ブラシカバーを前記支持部または前記操作筒部に対して進退方向に案内する直線案内部と、前記ブラシカバーと前記支持部との間および前記ブラシカバーと前記操作筒部との間の何れか他方に設けられ、前記操作筒部の回動を前記ブラシカバーの進退移動に変換する変換機構部とを有し、前記回動操作部材が閉位置のときに前記ブラシカバーがカバー位置とされ、前記操作筒部が回動操作されると、前記回動操作部材が開位置にまで移動するとともに前記ブラシカバーが開放位置にまで移動することを特徴とする。
【００１０】
本発明は、上記構成において、前記操作筒部の内周面に軸方向に沿って直線状に延びるリブが設けられるとともに、円筒状に形成された前記ブラシカバーの外周面に軸方向に沿って直線状に延びる案内溝が設けられ、前記リブが前記案内溝に係合することにより前記直線案内部が構成され、円筒状に形成された前記支持部の外周面に螺旋状に延びるねじ溝が設けられるとともに、前記ブラシカバーの内周面に突起が設けられ、該突起が前記ねじ溝に係合することにより前記変換機構部が構成されているのが好ましい。
【００１１】
本発明は、上記構成において、前記開閉板部は前記回動操作部材の回動中心を中心とした円板状に形成され、前記吐出孔と前記連通孔とが、それぞれ前記回動操作部材の回動中心から同一距離ずれて配置され、前記導入口は円筒状に形成されて前記開閉板部の外周縁に嵌合しているのが好ましい。
【００１２】
本発明は、上記構成において、前記操作筒部の外側に、前記ブラシを覆うオーバーキャップが着脱自在に装着されているのが好ましい。
【００１３】
本発明は、上記構成において、前記ブラシは、多数の繊維を根本側部分において束ねた構成のものとすることができる。
【発明の効果】
【００１４】
本発明によれば、使用後に、操作筒部を回動させることで、ブラシの先端側部分をブラシカバーで覆うことができるとともに、容器本体の吐出孔とブラシ支持体の導入口との連通を遮断することができるので、簡単な操作で容器本体に収容された内容物の外部への飛散を防止することができる。
【図面の簡単な説明】
【００１５】
【図１】本発明の一実施の形態であるブラシ付き容器の断面図である。
【図２】（ａ）は図１に示す蓋部材の平面図、（ｂ）は同底面図、（ｃ）は同図（ａ）に示すＡ−Ａ線に沿う断面図である。
【図３】（ａ）は図１に示すブラシ支持体の平面図、（ｂ）は同底面図、（ｃ）は同図（ａ）に示すＢ−Ｂ線に沿う断面図である。
【図４】（ａ）は図１に示す回動操作部材の平面図、（ｂ）は同図（ａ）に示すＣ−Ｃ線に沿う断面図である。
【図５】（ａ）は図１に示すブラシカバーの平面図、（ｂ）は同図（ａ）に示すＤ−Ｄ線に沿う断面図である。
【図６】図１に示すブラシ付き容器の使用状態における断面図である。
【図７】図６に示す使用状態から回動操作部材が回動されて不使用状態とされたブラシ付き容器の断面図である。
【発明を実施するための形態】
【００１６】
以下、図面を参照して本発明をより詳細に例示説明する。
【００１７】
図１に示すように、本発明の一実施の形態であるブラシ付き容器１は容器本体１０を備えている。この容器本体１０は、ボトル１１と蓋部材１２からなる。
【００１８】
ボトル１１は円筒状の口部１１ａ、この口部１１ａに連なる胴部１１ｂおよび胴部１１ｂの下端を閉塞する底部１１ｃを備えており、その内部は内容物を収容する収容空間Ｓとなっている。本実施の形態では、ボトル１１は合成樹脂製となっており、ボトル１１の収容空間Ｓには粉末状（パウダー状）の化粧料が内容物として収容される。ボトル１１の底部１１ｃは胴部１１ｂに対してアンダーカット係合により着脱可能な構成とされており、底部１１ｃを胴部１１ｂから取り外して胴部１１ｂの下端を開放することにより、ボトル１１の底部１１ｃ側から粉末状の内容物を容易に供給することができる。
【００１９】
なお、ボトル１１の底部１１ｃは胴部１１ｂと一体の構成とすることもできる。この場合、内容物は口部１１ａから収容空間Ｓに供給される。
【００２０】
蓋部材１２は合成樹脂製となっており、図１、図２に示すように、ボトル１１の口部１１ａを取り囲む円筒状の装着筒部１２ａを有している。装着筒部１２ａの内周面には環状の係止爪１２ｂが設けられ、一方、ボトル１１の口部１１ａの外周面には環状の係止突起１１ｄが設けられており、この係止突起１１ｄに係止爪１２ｂがアンダーカット係合することにより、蓋部材１２は口部１１ａに装着されている。
【００２１】
蓋部材１２は、装着筒部１２ａの内側にシール筒部１２ｃを同軸且つ一体に備え、このシール筒部１２ｃが口部１１ａの内周面に嵌め込まれることで、蓋部材１２と口部１１ａとの嵌合部分がシールされて当該部分からの内容物の漏れが防止されるようになっている。
【００２２】
ボトル１１の口部１１ａの外周面には、係止突起１１ｄの上方側に位置して複数の回り止め溝部１１ｅが設けられている。一方、図２（ｂ）に示すように、蓋部材１２の装着筒部１２ａの内周面には６つの回り止めリブ１２ｄが設けられ、図１に示すように、これらの回り止めリブ１２ｄがそれぞれ対応する回り止め溝部１１ｅに係合することにより、蓋部材１２はボトル１１の口部１１ａに対して回り止めされている。
【００２３】
なお、図示する場合では、蓋部材１２をボトル１１の口部１１ａにアンダーカット係合により固定させるようにしているが、蓋部材１２をボトル１１の口部１１ａに回り止めした状態で固定することができれば、例えばねじ結合などの他の手段によりに蓋部材１２をボトル１１の口部１１ａに固定させる構成とすることもできる。
【００２４】
蓋部材１２の天壁１２ｅには、天壁１２ｅから上方に突出する円形の第１段部１２ｆと、第１段部１２ｆから上方に突出する円形の第２段部１２ｇとが設けられている。第１段部１２ｆと第２段部１２ｇは、それぞれ装着筒部１２ａつまり口部１１ａと同軸の円形に形成されている。図２（ａ）に示すように、第１段部１２ｆの外周部の互いに周方向に１８０度ずれた位置には、それぞれ互いに周方向に間隔を空けて並ぶ一対の回り止め突起１２ｈがセットで設けられている。一方、第２段部１２ｇには、この容器本体１０に収容された内容物の外部への吐出孔１２ｉが設けられている。この吐出孔１２ｉは、第２段部１２ｇの軸心から該軸心に重複しない位置にまで径方向にずれて配置されている。
【００２５】
図１に示すように、蓋部材１２には樹脂製のブラシ支持体２０が固定されている。図１、図３に示すように、このブラシ支持体２０は、円筒部２１ａと底部２１ｂとを備えた底付き円筒状の支持部２１を備え、この支持部２１の下端には一対の固定脚部２２が一体に設けられている。これらの固定脚部２２は、互いに周方向に１８０度ずれて配置され、その先端には係止爪２２ａが設けられている。ブラシ支持体２０は、各固定脚部２２が蓋部材１２に設けられた対応する一対の回り止め突起１２ｈの間に配置され、その下端が蓋部材１２の天壁１２ｅに当接するとともに、各固定脚部２２の係止爪２２ａが第１段部１２ｆの外周面に設けられた係止溝１２ｊに係合することにより、蓋部材１２つまり容器本体１０に回り止めされた状態で固定されている。なお、蓋部材１２に固定された状態においては、支持部２１は装着筒部１２ａや口部１１ａと同軸となっている。
【００２６】
支持部２１の底部２１ｂの下側面には導入口２３が設けられている。この導入口２３は、支持部２１と同軸に該支持部２１の底部２１ｂの下側面から下方に向けて突出する円筒状に形成され、蓋部材１２の第２段部１２ｇに対向配置されている。これにより、導入口２３は第２段部１２ｇに設けられた吐出孔１２ｉと対向している。底部２１ｂの上側面にはその軸心に位置して吐出筒２４が一体に設けられ、この吐出筒２４の内部流路を通して導入口２３は支持部２１の円筒部２１ａの内側空間に連通している。
【００２７】
図１に示すように、支持部２１にはブラシ２５が装着されている。このブラシ２５は、所定の長さに切り揃えられた多数の毛などの繊維を、その根本側部分において結束部材２５ａや溶着部等を用いて束ねた構成となっており、その根本側部分において支持部２１の内部に配置され、当該支持部２１に接着等の固定手段により固定されることで支持されている。支持部２１に支持された状態においては、ブラシ２５の先端側部分は支持部２１から上方へ突出している。
【００２８】
容器本体１０には回動操作部材３０が装着されている。この回動操作部材３０は、操作筒部３１と隔壁３２を備えている。
【００２９】
操作筒部３１は、ブラシ支持体２０よりも大径の円筒状に形成され、支持部２１の外側に配置されている。操作筒部３１の下端部の内周面には環状突起３１ａが設けられ、この環状突起３１ａが蓋部材１２の装着筒部１２ａの外周面に設けられた係止突起１２ｋにアンダーカット係合することにより、操作筒部３１は容器本体１０にその口部１１ａの軸心を回動中心として回動自在に装着されている。
【００３０】
隔壁３２は円板状に形成され、一対の切り欠き溝３２ａを備えている。これらの切り欠き溝３２ａは、それぞれ口部１１ａの軸心を中心とした円弧状に形成され、ブラシ支持体２０の一対の固定脚部２２がそれぞれ対応する切り欠き溝３２ａに配置されている。したがって、操作筒部３１は、固定脚部２２が切り欠き溝３２ａに沿って相対移動可能な範囲で容器本体１０に対して回動することができる。
【００３１】
隔壁３２の中央部分（軸心部分）には開閉板部３３が一体に設けられている。開閉板部３３は操作筒部３１の回動中心を中心とした円板状に形成され、隔壁３２から上方に突出して段差状に配置されている。開閉板部３３の段差状に凹んだ内周縁は蓋部材１２の第２段部１２ｇの外周面に摺動自在に嵌合し、開閉板部３３の段差状の外周縁は導入口２３の内周面に摺動自在に嵌合している。このように、開閉板部３３は、吐出孔１２ｉと導入口２３との間に配置され、これらに対して相対回転自在となっている。
【００３２】
開閉板部３３には連通孔３４が設けられている。この連通孔３４は容器本体１０の蓋部材１２に設けられた吐出孔１２ｉと同径に形成されて開閉板部３３を貫通しており、また操作筒部３１の回動中心に対して径方向にずれて配置されている。なお、吐出孔１２ｉと連通孔３４は、操作筒部３１の回動中心に対して径方向に同一距離ずれている。
【００３３】
上記構成により、回動操作部材３０は、操作筒部３１が回動操作されることにより、開閉板部３３の連通孔３４が設けられていない部分により、吐出孔１２ｉが閉塞されて吐出孔１２ｉと導入口２３との連通が遮断される閉位置（図１に示す位置）と、開閉板部３３に設けられた連通孔３４が吐出孔１２ｉと軸心を一致させるように配置されて吐出孔１２ｉと導入口２３とが連通孔３４を介して連通される開位置（図６に示す位置）との間で回動自在となっている。なお、開閉板部３３の下面と第２段部１２ｇの上面との間には、これらの回動抵抗を低減させるための僅かな隙間が設けられているが、この隙間は、回動操作部材３０が閉位置とされたときに当該隙間を介した内容物の漏れ出しを生じない程度の高さに設定されている。また、当該隙間を設けなくてもよく、もしくは回動操作部材３０が閉位置とされた際に、吐出孔１２ｉを塞ぐ（開口縁に当接する）シール突部を開閉板部３３の下面に設けてもよい。
【００３４】
ブラシ支持体２０の支持部２１と回動操作部材３０の操作筒部３１との間には樹脂製のブラシカバー４０が装着されている。このブラシカバー４０は支持部２１よりも大径で操作筒部３１よりも小径の円筒状に形成され、支持部２１と操作筒部３１との間から上方に向けて突出してブラシ２５の先端側部分を覆うカバー位置（図１に示す位置）と、支持部２１と操作筒部３１との間に収容されてブラシ２５の先端側部分を開放する開放位置（図６に示す位置）との間で進退移動自在となっている。
【００３５】
ブラシカバー４０の上端部分には径方向内側に突出するフランジ状のブラシ抑え部４１が一体に設けられている。このブラシ抑え部４１はブラシ２５の外径に対応した内径を有し、ブラシカバー４０がカバー位置にまで移動したときにブラシ２５の先端側部分を束ねた状態に押さえることができる。
【００３６】
回動操作部材３０の操作筒部３１の回動操作によってブラシカバー４０をカバー位置と開放位置とに進退移動させるために、ブラシカバー４０と操作筒部３１との間に直線案内部５０が設けられるとともに、ブラシカバー４０と支持部２１の間に変換機構部６０が設けられている。
【００３７】
直線案内部５０は、操作筒部３１の内周面に設けられる一対のリブ５１と、ブラシカバー４０の外周面に設けられる一対の案内溝５２とを有している。一対のリブ５１は、それぞれ軸方向に沿って直線状に延び、互いに周方向に１８０度ずれて配置されている。一方、一対の案内溝５２も、それぞれ軸方向に沿って直線状に延び、互いに周方向に１８０度ずれて配置されている。そして、各リブ５１が対応する案内溝５２に摺動自在に係合することにより直線案内部５０が構成されている。この直線案内部５０は、ブラシカバー４０を操作筒部３１に対して進退方向に向けて直線的に案内することができるとともに操作筒部３１とともにブラシカバー４０を支持部２１に対して回動させることができる。
【００３８】
変換機構部６０は、支持部２１の外周面に設けられる一対のねじ溝６１と、ブラシカバー４０の内周面に設けられる一対の突起６２とを有している。一対のねじ溝６１は、それぞれ同一のピッチで螺旋状に延び、互いに周方向に１８０度ずれて配置されて二条ねじを構成している。一方、一対の突起６２は、ねじ溝６１に対応した形状で径方向内側に向けて突出するとともに互いに周方向に１８０度ずれて配置されている。そして、各突起６２が対応するねじ溝６１に摺動自在に係合することにより変換機構部６０が構成されている。この変換機構部６０は、操作筒部３１の回動つまり操作筒部３１とともに回動するブラシカバー４０の回動運動をブラシカバー４０の進退移動（上下移動）に変換することができる。
【００３９】
なお、ブラシカバー４０は、回動操作部材３０が閉位置とされたときにブラシ２５の先端側部分を覆うカバー位置とされ、この状態から操作筒部３１が回動操作されて回動操作部材３０が開位置にまで移動したときに、ブラシカバー４０も開放位置にまで移動するようになっている。
【００４０】
このような直線案内部５０および変換機構部６０を用いることにより、簡単な構成で回動操作部材３０の回動をブラシカバー４０の進退移動に変換させる構成とすることができる。
【００４１】
操作筒部３１の外側にはオーバーキャップ７０を着脱自在に装着することができる。このオーバーキャップ７０によりブラシ２５を覆って当該ブラシ２５を外部から隔離することができる。
【００４２】
次に、このような構成のブラシ付き容器１の使用方法について説明する。
【００４３】
図６に示すように、オーバーキャップ７０を容器本体１０から取り外し、操作筒部３１を回動操作して回動操作部材３０を閉位置から開位置にまで回動させることにより、このブラシ付き容器１を使用可能状態とすることができる。つまり、操作筒部３１の回動操作により回動操作部材３０を閉位置から開位置にまで回動させることにより、操作筒部３１とともに開閉板部３３を回動させて容器本体１０の吐出孔１２ｉと開閉板部３３に設けられた連通孔３４とを一致させて吐出孔１２ｉを導入口２３に連通させることができる。
【００４４】
また、操作筒部３１の回動操作により回動操作部材３０を閉位置から開位置にまで回動させることにより、ブラシカバー４０をカバー位置から開放位置に移動（下降）させてブラシ２５の先端側部分を外部に露出させることができる。
【００４５】
この使用可能状態において、ブラシ付き容器１を倒立姿勢で振動等させることにより、容器本体１０に収容された内容物を吐出孔１２ｉから導入口２３を介して吐出筒２４の先端からブラシ２５に向けて吐出させ、内容物が付着したブラシ２５により内容物を塗付対象に塗付することができる。
【００４６】
一方、使用後には、図７に示すように、操作筒部３１を回動操作して回動操作部材３０を開位置から閉位置にまで回動させることにより、このブラシ付き容器１を不使用状態とすることができる。つまり、操作筒部３１の上記とは逆向きの回動操作により回動操作部材３０を開位置から閉位置にまで回動させることにより、操作筒部３１とともに開閉板部３３を回動させて容器本体１０の吐出孔１２ｉに対して開閉板部３３に設けられた連通孔３４の位置をずらして吐出孔１２ｉと導入口２３との連通を遮断することができる。これにより、不使用時に容器本体１０の吐出孔１２ｉから不用意に内容物が吐出されることを防止することができる。
【００４７】
また、操作筒部３１の回動操作により回動操作部材３０を開位置から閉位置にまで回動させることにより、ブラシカバー４０を開放位置からカバー位置に移動（上昇）させてブラシ２５の先端側部分をブラシカバー４０で覆うことができる。これにより、不使用時にブラシ２５に付着した内容物が不用意に外部に飛散等することを防止することができる。また、ブラシカバー４０がカバー位置となると、ブラシカバー４０の先端部分に設けられたブラシ抑え４１によりブラシ２５の先端側部分の広がりが抑えられるので、使用後における容器本体１０へのオーバーキャップ７０の装着作業を容易にすることができる。
【００４８】
このように、このブラシ付き容器１では、回動操作部材３０を開位置から閉位置にまで回動させる簡単な操作で、このブラシ付き容器１を、容器本体１０の吐出孔１２ｉと導入口２３との連通を遮断するとともにブラシ２５の先端側部分をブラシカバー４０で覆った不使用状態として、容器本体１０に収容された内容物の外部への飛散を防止することができる。
【００４９】
また、このブラシ付き容器１を再度使用状態にする際には、回動操作部材３０を閉位置から開位置に回動させるだけの簡単な操作で、このブラシ付き容器１を、容器本体１０の吐出孔１２ｉと導入口２３とが連通孔３４を介して連通されるとともにブラシ２５の先端側部分が開放された使用可能状態に切り替えることができる。
【００５０】
本発明は前記実施の形態に限定されるものではなく、その要旨を逸脱しない範囲で種々変更可能であることはいうまでもない。
【００５１】
例えば、前記実施の形態においては、粉末状（パウダー状）の化粧料を収容する容器に本発明を適用しているが、これに限らず、ブラシ２５を用いて塗付するのに適した内容物を収容するものであれば、例えば、化粧料以外の粉末状の内容物を収容する容器や、部分洗い用液体洗剤などの液状の内容物、調味料などの食品を収容する容器など、種々の内容物を収容する容器に本発明を適用することができる。
【００５２】
また、前記実施の形態においては、ブラシカバー４０と操作筒部３１の間に直線案内部５０を設け、ブラシカバー４０と支持部２１との間に変換機構部６０を設けるようにしているが、ブラシカバー４０と支持部２１との間に直線案内部５０を設け、ブラシカバー４０と操作筒部３１との間に変換機構部６０を設ける構成とすることもできる。
【００５３】
さらに、吐出孔１２ｉ及び/又は吐出筒２４及び又は連通孔３４を複数設けてもよい。
【００５４】
さらに、変換機構部６０は、ブラシカバー４０の内周面にねじ溝６１を設け、支持部２１の外周面に突起６２を設ける構成とすることもできる。
【符号の説明】
【００５５】
１    ブラシ付き容器
１０    容器本体
１１    ボトル
１１ａ  口部
１１ｂ  胴部
１１ｃ  底部
１１ｄ  係止突起
１１ｅ  回り止め溝部
１２    蓋部材
１２ａ  装着筒部
１２ｂ  係止爪
１２ｃ  シール筒部
１２ｄ  回り止めリブ
１２ｅ  天壁
１２ｆ  第１段部
１２ｇ  第２段部
１２ｈ  回り止め突起
１２ｉ  吐出孔
１２ｊ  係止溝
１２ｋ  係止突起
２０    ブラシ支持体
２１    支持部
２１ａ  円筒部
２１ｂ  底部
２２    固定脚部
２２ａ  係止爪
２３    導入口
２４    吐出筒
２５    ブラシ
２５ａ  結束バンド
３０    回動操作部材
３１    操作筒部
３１ａ  環状突起
３２    隔壁
３２ａ  切り欠き溝
３３    開閉板部
３４    連通孔
４０    ブラシカバー
４１    ブラシ抑え部
５０    直線案内部
５１    リブ
５２    案内溝
６０    変換機構部
６１    ねじ溝
６２    突起
７０    オーバーキャップ
Ｓ    収容空間
【図１】
2015209256.tif 000003
【図２】
2015209256.tif 000004
【図３】
2015209256.tif 000005
【図４】
2015209256.tif 000006
【図５】
2015209256.tif 000007
【図６】
2015209256.tif 000008
【図７】
2015209256.tif 000009